(57)【特許請求の範囲】
【請求項１】
屋根軒先の軒樋に取付ける樋水返しであって、下端部に樋耳や曲り継手の前縁耳部に係着する把持部を具えた水返し立壁が、軒先に並行又は隅形状に沿って配置されていると共に、前記水返し立壁の両側端に軒樋内へ雨水を誘導する案内立壁が形成され、水返し立壁の内面にはその全長に亘り軒樋内へ雨水を誘導する下方傾斜した案内板が形成され、案内板の内側下方に、樋耳や曲り継手の前縁耳部の上面に接合する段部が形成され、段部にビス止め部が形成されたことを特徴とする樋水返し。
【発明の詳細な説明】
【０００１】
【発明の属する技術分野】
本発明は樋水返しに係り、特に、屋根から流下する雨水を軒樋内へ誘導して確実に集水することを目的とした樋水返しに関するものである。
【０００２】
【従来技術とその課題】
従来、屋根の入隅など交差軒先の角部に取付ける飛越し防止板や飛沫板と云われる水返しは、軒樋同士を内曲り継手を介して交差突合わせ個所で接続したのちに、上記内曲り継手の前縁側耳部及び樋耳の少くとも四個所で水返しの基端部とビス止めしなければ、水返しを確実且つ安定して軒先に固定することが出来ず、且つ、予想以上の手間が掛かると云う問題がある。
即ち、上記のビス止め固定に際しては仮止めが無く、しかも、水平方向にビス止めしなければならなかったので、屋根の入隅のような作業し難い施工場所においては特に取付けに手間取ってしまい、作業効率の低下を招いていた。
また、入隅に適用される水返しは、その側辺の立板二枚が一体に直交配置された形態であって、その直交部位は不安定であり角度変形し易かったために、取付けに際しては作業し難く煩わしいものであった。
【０００３】
また、特開平９−１５８４１９号公報には、図９に斜視図で示す如く、家屋軒先の入隅に取付けられる軒樋内曲り継手４１において、該軒樋内曲り継手４１の前面側コーナー壁４１１に、後面側コーナー壁４１２−１に対向して、面をなす水返し立壁４１１１を一体に形成したことを特徴とするものが開示されている。上記軒樋内曲り継手４１は、継手と水返しの二つの機能を具えていて取付け施工性に優れているものの、軒樋曲り継手４１の水返し立壁４１１１の立上り高さに成形加工上の限界があること、また、限界までの立上り高さの水返し立壁４１１１が得られたとしても、飛散する雨水を確実に防止することはできず、なお不十分であると云う問題が残っていた。
【０００４】
【課題を解決するための手段】
本発明は上記課題を解決するためのものであって、その要旨は、屋根軒先の軒樋に取付ける樋水返しであって、下端部に樋耳や曲り継手の前縁耳部に係着する把持部を具えた水返し立壁が、軒先に並行又は隅形状に沿って配置されていると共に、前記水返し立壁の両側端に軒樋内へ雨水を誘導する案内立壁が形成され、水返し立壁の内面にはその全長に亘り軒樋内へ雨水を誘導する下方傾斜した案内板が形成され、案内板の内側下方に、樋耳や曲り継手の前縁耳部の上面に接合する段部が形成され、段部にビス止め部が形成されたことを特徴とする樋水返しである。
【０００５】
【発明の実施の形態】
以下、本発明の実施例を図面に基づき具体的に説明する。
図１は、入隅に直交配置する本発明の一実施例を斜視図で示し、図２は、図１に示す本発明を矢視方向Ｘからの側面図で示し、図３は、本発明を矢視方向Ｙより見た側面図で示し、図４は、本発明の他の実施例を斜視図で示し、図５は、図４のＡ−Ａ線断面図で示し、図６は、本発明の一実施例を軒先に取付けた状態を斜視図で示し、図７は、本発明の他の実施例を軒先に取付けた状態を斜視図で示し、図８は、本発明の他の実施例の使用状態を平面図で示す。
【０００６】
本発明は、図１、図４及び図５、図７に斜視図で示す如く、屋根軒先の軒樋２に取付ける樋水返し１であって、下端部に樋耳２１や曲り継手３の前縁耳部に係着する把持部１１を具えた水返し立壁１−１が、軒先に並行に又は隅形状に沿って配置されていると共に、前記水返し立壁１−１には、軒樋内へ雨水を誘導する誘導板１３が形成されていることを特徴とするものであって、水返し立壁１−１の全長内面から、軒樋２の内側へ傾斜する案内板１４を形成して、上方より流下する雨水を軒樋内へ誘導し、また、水返し立壁１−１の両側端部に、軒樋２の内側へ向け折曲する案内立壁１５を形成して、軒樋２の外側方へ飛散する雨水を軒樋内へ誘導することを特徴とするものである。
【０００７】
上記本発明で、軒樋内へ雨水を誘導する誘導板１３として、軒樋２の内側へ傾斜する案内板１４、及び／又は、軒樋２の内側へ向け折曲する案内立壁１５を形成したことにより、上方より流下する雨水並びに軒樋２の外側方へ飛散する雨水を軒樋内へ誘導して、確実に集水することができるものであると共に、施工に際しては、ビス止め固定に先立って仮止めすることができるので、屋根の入隅のような作業し難い場所においても取付けに手間取らず施工性が優れている。
【０００８】
【実施例】
（実施例１）
本実施例の樋水返し１は、図１乃至図４に示す如く、水返し立壁１−１が一体に直交配置して形成され、その両側端には、各々が軒樋２側へ斜めに折れ曲った誘導板１３の案内立壁１５が一体に形成されていると共に、一方の案内立壁１５から他方の案内立壁１５に至る間の水返し立壁１−１の後面側（軒樋２側）には、全長に亘り案内板１４が形成されている。
また、必要に応じて、水返し立壁１−１の交差部位の前面側下端を面取りして補強面板１２とすることができる。
【０００９】
そして、上記誘導板１３の下端部には、軒樋２の樋耳２１に係着する把持部１１が形成されていると共に、案内立壁１５及び水返し立壁１−１の内側下部に形成された段部１７の下側には、曲り継手３の前縁耳部に係着する把持部１１が形成され、且つ、上記段部１７から水返し立壁１−１の頂部に亘り複数本の補強リブ１６が一体に形成され、また、上記段部１７には上方からビスで締着できるビス止め部１８が形成されている。
【００１０】
上記本発明を取付け施工するには、図４に示す如く、谷樋Ｃを挟んで屋根Ａ，Ａの軒先が交差している入隅の角部Ｂで、曲り継手３を用いて軒樋２，２同士を予め接続固定しておき、次いで、本発明を、その一方の案内立壁１５に形成した把持部１１を、一方の軒樋２の樋耳２１に嵌めたままスライドして、補強面板１２が曲り継手３の交差部位にきたときに、他方の案内立壁１５に形成した把持部１１を他方の軒樋２の樋耳２１に位置合わせして係着し、しかる後、段部１７に形成したビス止め部１８を介し、曲り継手３に樋水返し１を締着固定することにより、簡単に取付けを完了することができる。
【００１１】
上述の如く本発明を取付けたことにより、図４に示す如く、屋根Ａ，Ａの軒先が交差している入隅の角部Ｂに向かい谷樋Ｃから矢印方向へ流下する雨水は、水返し立壁１−１の案内板１４に当ったのち分流し、案内立壁１５，１５により誘導されて、軒樋２外へ飛散することが遮られて軒樋２内へ案内され、集水されるものである。
【００１２】
（実施例２）
本実施例の樋水返し１は、図５、図７に斜視図で、また、図６に断面図で示す如く、軒先に並行に配置されている水返し立壁１−１の両側端に、軒樋２側へ斜めに折れ曲った誘導板１３の案内立壁１５が一体に形成されていると共に、一方の案内立壁１５から他方の案内立壁１５に至る間の水返し立壁１−１の後面側には、全長に亘り案内板１４が形成されている。
【００１３】
そして、上記誘導板１３の下端部には、軒樋２の樋耳２１に係着する把持部１１が形成されていると共に、案内立壁１５及び水返し立壁１−１の内側下部に形成された段部１７の下側には、軒樋２の前縁側の樋耳２１に係着する把持部１１が形成され、且つ、上記段部１７から水返し立壁１−１の頂部に亘り少なくとも１本の補強リブ１６が一体に形成され、また、上記段部１７には上方からビスで締着できるビス止め部１８が形成されている。
【００１４】
上記本発明を取付け施工するには、図７、及び図８に平面図で示す如く、這い樋Ｄの雨水吐出口に対向する位置で、軒樋２の前縁側の樋耳２１に、樋水返し１の案内立壁１５に形成した把持部１１を係着して仮止めした後に、段部１７に形成したビス止め部１８を介し、樋耳２１に樋水返し１を締着固定することにより簡単に取付けを完了することができる。
上述の如く本発明を取付けたことにより、図８に示す如く、這い樋Ｄから排出される雨水は、水返し立壁１−１の案内板１４に当ったのち、案内立壁１５により矢印方向へ誘導されて、軒樋２の外側へ飛散することなく軒樋２内へ案内され、集水されるものである。
【００１５】
上記本発明では、軒樋内へ雨水を誘導する誘導板１３として、軒樋２の内側へ傾斜する案内板１４、及び／又は、軒樋２の内側へ向け折曲する案内立壁１５を形成したことにより、上方より流下する雨水並びに軒樋２の外側方へ飛散する雨水を軒樋内へ誘導して、確実に集水することができるものであると共に、施工に際しては、ビス止め固定に先立ち、誘導板１３の下端部に形成した把持部１１により、軒樋２の樋耳２１や曲り継手３の前縁耳部に仮止めした後に締着固定することができるので、屋根の入隅のような作業し難い場所においても取付けに手間取らず施工性が優れている。
また、上記例で形成した補強リブ１６は、補強効果ばかりでなく、雨水が水返し立壁１−１から外方にはずれて軒樋２の外側へ飛散するのを防止する効果も有するものである。
【００１６】
【発明の効果】
本発明は上記構成よりなるので下記効果を奏する。
即ち、本発明により、誘導板として軒樋の内側へ傾斜する案内板、及び／又は、軒樋の内側へ向け折曲する案内立壁を形成したことにより、上方より流下する雨水並びに軒樋の外側方へ飛散する雨水を、軒樋内へ誘導して確実に集水することができると共に、施工に際しては、ビス止め固定に先立って仮止めした後に締着固定できるので、屋根の入隅のような作業し難い場所においても取付けに手間取らず施工性が優れている。
【図面の簡単な説明】
【図１】入隅に直交配置する本発明の一実施例を斜視図で示す。
【図２】図１に示す本発明を矢視方向Ｘから見た側面図で示す。
【図３】図１の本発明を、Ｙ矢視方向より見た平面図で示す。
【図４】本発明の他の実施例を斜視図で示す。
【図５】図４の本発明をＡ−Ａ線断面図で示す。
【図６】本発明の一実施例を軒先に取付けた状態を斜視図で示す。
【図７】本発明の他の実施例を軒先に取付けた状態を斜視図で示す。
【図８】本発明の他の実施例の使用状態を平面図で示す。
【図９】従来例を斜視図で示す。
【符号の説明】
１      樋水返し
１−１  水返し立壁
１１    把持部
１２    補強面板
１３    誘導板
１４    案内板
１５    案内立壁
１６    補強リブ
１７    段部
１８    ビス止め部
２      軒樋
２１    樋耳
３      曲り継手
Ａ      屋根
Ｂ      角部
Ｃ      谷樋
Ｄ      這い樋
【図１】
0003699273.tif 000002
【図２】
0003699273.tif 000003
【図３】
0003699273.tif 000004
【図４】
0003699273.tif 000005
【図５】
0003699273.tif 000006
【図６】
0003699273.tif 000007
【図７】
0003699273.tif 000008
【図８】
0003699273.tif 000009
【図９】
0003699273.tif 000010